【事件の表示】
　特願２０１３−１８８６６１号「遊技機」拒絶査定不服審判事件〔平成２７年　３月２３日出願公開、特開２０１５−　５４０４７号〕について、次のとおり審決する。
【結　論】
　本件審判の請求は、成り立たない。
【理　由】
１　手続の経緯 
　本願は、平成２５年９月１１日の出願であって、平成２９年４月１２日付けで拒絶の理由が通知され、これに対して、同年６月１６日に意見書及び手続補正書が提出され、同年１１月１４日付けで最後の拒絶の理由が通知され、これに対して、平成３０年１月１２日に意見書及び手続補正書（以下、この手続補正書による補正を「本件補正」という。）が提出され、同年６月１日付けで拒絶の理由が通知され、これに対して、同年８月６日に意見書が提出されたところ、同年１０月２３日付け（送達日：同年１０月３０日）で拒絶査定（以下「原査定」という。）がなされ、これに対して、平成３１年１月２４日に拒絶査定不服審判の請求がなされ、当審において、令和１年７月１２日付けで拒絶の理由（以下、「当審拒絶理由」という。）が通知され、同年９月１０日に意見書が提出されたものである。
２　本願発明 
　本願の請求項１に係る発明（以下「本願発明」という。）は、本件補正後の特許請求の範囲の請求項１に記載された事項により特定される次のとおりのものである。なお、Ａ等の記号は、分説するため合議体が付した。
「Ａ　所定の画像を表示可能な画像表示装置と、
　Ｂ　赤色発光素子、緑色発光素子、青色発光素子を含む複数の多色発光手段と、
　Ｃ　前記多色発光手段の発光色を予め定められた順序で変化するように切り替える発光色変化演出を実行する発光色変化演出実行手段と、を備え、
　Ｃ−１　前記発光色変化演出実行手段は、前記発光色変化演出において前記多色発光手段の発光色を一の発光色から前記一の発光色とは異なる発光色に切り替えるときに、前記画像表示装置の画像更新周期よりも短い期間、前記多色発光手段に含まれる全ての発光素子を消灯させた後、前記一の発光色とは異なる発光色に対応した発光素子を発光させ、
　Ｂ−１　複数の前記多色発光手段は、連なって配置されるとともに、第１の多色発光手段と、該第１の多色発光手段に隣接する第２の多色発光手段と、を含み、
　Ｃ−２　前記第１の多色発光手段を第１の発光色で発光させている際に前記第２の多色発光手段を前記第１の発光色の次に定められた発光色である第２の発光色で発光させ、前記第１の多色発光手段を前記第２の発光色に切り替えた際には、前記第２の多色発光手段を、前記第２の発光色の次に定められた発光色となるように切り替える、
　Ｄ　ことを特徴とする遊技機。」
３　拒絶の理由
　当審拒絶理由は、本件補正後の請求項１に係る発明は、本願の出願前に日本国内又は外国において、頒布された又は電気通信回線を通じて公衆に利用可能となった、引用文献１に記載された発明と周知技術とに基づいて、または、引用文献２に記載された発明と周知技術とに基づいて、その出願前にその発明の属する技術の分野における通常の知識を有する者が容易に発明をすることができたものであるから、特許法第２９条第２項の規定により特許を受けることができない、というものである。
　　　　　　　　　　　引　用　文　献　等　一　覧
引用文献１．特開２００５−２６１５７１号公報
引用文献２．特開２００６−４３２０５号公報
引用文献３．特開２０１０−１７０１１９号公報（周知技術を示す文献）
引用文献４．特開２０１１−１７０２１９号公報（周知技術を示す文献）
引用文献５．特開２０１１−２３７５１７号公報（周知技術を示す文献）
引用文献６．特開２００７−１２７９１２号公報（周知技術を示す文献）
４　引用文献の記載及び引用発明
（１）当審拒絶理由に引用され、本願の出願前に電気通信回線を通じて公衆に利用可能となった特開２００５−２６１５７１号公報（以下、同じく「引用文献１」という。）には、「封入球式遊技機」の発明に関し、図面と共に次の事項が記載されている（下線は引用発明等の認定に関連する箇所を明示するために合議体が付した。以下同様）。
　ア　「【発明の詳細な説明】
【技術分野】
【０００１】
　本発明は、遊技機本体内に所定数封入した遊技球を、発射位置から遊技領域に発射して遊技を行う一方、遊技を終えた遊技球を回収して発射位置に導いて遊技球を循環使用する封入球式遊技機に関する。」
　イ　「【００４０】
　図１〜図３に示すように、本実施形態の
封入球式遊技機１００
　ウ　「【０１０５】
　また、
特図の変動表示装置４
液晶ディスプレイ４１を備え、表示内容が変化可能な表示画面４２を有している
　そして、遊技領域１ａ内に打ち込まれた遊技球が特図の始動口を兼ねる普通変動入賞装置９へ進入して始動条件が成立することに基づき、表示画面４２にて複数種類の識別情報（例えば、数字、記号、キャラクタ図柄など）を変動表示させる特別図柄の変動表示ゲームを実行可能となっている。なお、特図の変動表示ゲームは、表示画面４２において、複数種類の識別情報を所定時間変動表示させることにより行う。
　そして、この特図の変動表示ゲームの結果として、表示画面４２の表示態様が特別結果態様（例えば、「７，７，７」等のゾロ目数字の何れか）となった場合には、大当たりとなって特別遊技状態（いわゆる、大当たり状態）となる。」
　エ　「【０１６３】
　そして、
枠制御装置８３は、
外部アピール装飾ランプ１１の制御を行う
　外部アピール装飾ランプ１１
は、赤、青、緑の三色ＬＥＤが複数個入った半球状の透光部材
を有するものであり
ランプ１１，…が５つ設けられており
各ランプ１１，…は、多数色の発光が可能となっている
　そして、ランプ１１，…においては、持球数が１０００個未満の場合に全消灯した状態とされ、持球数が１０００〜１９９９個の場合に、左端の１番目のランプ１１が緑色に点灯し、持球数が２０００〜３９９９個の場合に、左端から１番目と２番目の２つのランプ１１，１１が黄色に点灯し、持球数が４０００個〜５９９９個の場合に、１番目〜３番目までの３つのランプ１１，…が青色に点灯し、持球数が６０００〜７９９９個の場合に、１番目〜４番目までの４つのランプ１１，…が紫色に点灯し、持球数が８０００〜９９９９個の場合に、１番目〜５番目までの５つ（全て）のランプ１１，…が水色に点灯するようになっている。すなわち、持球数が１０００個から２０００個程度増加する毎に点灯するランプ１１，…が増加するとともに、ランプ１１，…の発光色が変更されるようになっている。上述の各色に点灯していないランプ１１，…は、消灯状態とされている。
【０１６４】
　また、持球数が１００００個以上となった際には、持球数が１００００〜１１９９９個の場合に、左端の１番目のランプ１１がレインボー色に点灯し、残りの４つのランプ１１が白色に点灯する。なお、
ここでレインボー色とは、虹のようにグラデーションを有すような表示で、複数の三色ＬＥＤで発光色を例えば時間的に変化させることで行われるものである。例えば、レインボー色は、三色ＬＥＤの各色のＬＥＤ素子の輝度を個別に調整することで、７色の発光を可能とするとともに、７色の発光色を所定の短時間毎に順次変更して一色ずつ発光させていくこと７色に変化する発光を行うようにしたものでも良い
【０１６５】
　そして、持球数が１２０００〜１３９９９個の場合に、左端から１番目と２番目との２つのランプ１１，１１がレインボー色に点灯し、残りの３つのランプ１１が白色に点灯し、持球数が１４０００〜１５９９９個の場合に、１番目〜３番目までの３つのランプ１１，…がレインボー色に点灯し、残りの２つのランプ１１が白色に点灯し、持球数が１６０００〜１７９９９個の場合に、１番目〜４番目までの４つのランプ１１，…がレインボー色に点灯し、残りの１つのランプ１１が白色に点灯し、持球数が１４０００〜１５９９９個の場合に、全てのランプ１１，…がレインボー色に点灯する。そして、持球数が２００００個以上の場合には、
全てのランプ１１，…がレインボー色に点灯するとともに、発光色の変動のタイミングをランプ１１，…の並び順にずらすことにより、発光色がランプ１１，…間に渡って移動するように表示する
【０１６６】
　なお、ランプ１１，１１は、持球数が多くなった場合の表示だけに用いるのではなく、
変動表示ゲームの演出に用いるものとしても良く
変動表示ゲームで通常大当り及び確変大当りとなった場合に、
レインボー色に点灯するとともに色が移動する表示を行っても良い
　オ　「【図２】
」
　カ　上記オ（【図２】）の図示内容から、
５つの外部アピール装飾ランプ１１は、略円弧状となるように隣り合って配置される
　キ　上記アないしカの記載内容及び図示内容からみて、引用例には、次の発明（以下、「引用発明１」という。）が記載されている。なお、ａ等の記号については本願発明のＡ等の記号に対応させて付与し、引用箇所の段落番号等を併記した。
［引用発明１］
「ａ　液晶ディスプレイ４１を備え、表示内容が変化可能な表示画面４２を有している特図の変動表示装置４と（【０１０５】）、
ｂ　多数色の発光が可能な（【０１６３】）、赤、青、緑の三色ＬＥＤが複数個入った半球状の透光部材を有する外部アピール装飾ランプ１１とを備え（【０１６３】）、
　ここで、外部アピール装飾ランプ１１は５つ設けられており（【０１６３】）、
ｃ、ｃ−１、ｃ−２　外部アピール装飾ランプ１１の制御を行う枠制御装置８３を備え（【０１６３】）、
　外部アピール装飾ランプ１１は、多数色の発光が可能となっており（【０１６３】）、変動表示ゲームの演出に用いるものとしても良く（【０１６６】）、さらに、変動表示ゲームで通常大当り及び確変大当りとなった場合に、全てのランプ１１，…がレインボー色に点灯するとともに、発光色の変動のタイミングをランプ１１，…の並び順にずらすことにより、発光色がランプ１１，…間に渡って移動するように表示するようにして変動表示ゲームの演出に用いても良く（【０１６５】及び【０１６６】）、
　ここでレインボー色とは、虹のようにグラデーションを有すような表示で、複数の三色ＬＥＤで発光色を例えば時間的に変化させることで行われるものであり、例えば、レインボー色は、三色ＬＥＤの各色のＬＥＤ素子の輝度を個別に調整することで、７色の発光を可能とするとともに、７色の発光色を所定の短時間毎に順次変更して一色ずつ発光させていくこと７色に変化する発光を行うようにしたものでも良く（【０１６４】）、
ｂ−１　５つの外部アピール装飾ランプ１１は、略円弧状となるように隣り合って配置される（上記カ、【図２】）、
ｄ　封入球式遊技機１００（【００４０】）。」
（２）当審拒絶理由に引用され、本願の出願前に電気通信回線を通じて公衆に利用可能となった特開２００６−４３２０５号公報（以下、同じく「引用文献２」という。）には、「遊技機」の発明に関し、図面と共に次の事項が記載されている。
　ア　「【発明の詳細な説明】
【技術分野】
【０００１】
　本発明は、遊技機において、遊技者の目を引く視覚的演出効果を実現可能な構成に関する。」
　イ　「【００１５】
　図１には
遊技機１
　ウ　「【００２３】
　パネル表示部２ａの右側上部には、ボーナス遊技情報表示部２０が設けられる。ボーナス遊技情報表示部２０は７セグメントＬＥＤを備えており、後で説明するＢＢ一般遊技状態におけるゲームの回数等を表示する。表示窓４Ｌ・４Ｃ・４Ｒの下方には水平面の台座部１０が備えられ、この台座部１０と表示窓４Ｌ・４Ｃ・４Ｒとの間には、液晶表示装置５が設けられている。
液晶表示装置５は、遊技に関連する情報
を表示画面５ａに表示する
・・・略・・・
【００２７】
　ランプ室２５の内部の上端位置において棒状のＬＥＤ支持部材２７が水平に設置され、この下面に、電飾機器ないし光源としての
１０個のフルカラーＬＥＤ２８が
設置されている
・・・略・・・
【００２９】
　本実施形態では
フルカラーＬＥＤ２８
赤、緑、青の単色のＬＥＤを１つの樹脂チップに封入した
　エ　「【００８４】
　次に、図１６及び図１７を用いてフルカラーＬＥＤ演出制御用テーブルについて説明する。主制御回路７１のＣＰＵ３１は、図１６に示す通常規模演出用の調光制御テーブルと、図１７に示す大規模演出用の調光制御テーブルの、何れか一方を選択して、その選択されたテーブルに基づいて１０個のフルカラーＬＥＤ２８を調光制御するようにしている。具体的には、ボーナスに内部当選していない状態、つまり、「一般遊技状態」の場合には、図１６の「通常規模演出」用の調光制御テーブルによってフルカラーＬＥＤ２８を調光制御し、演出を行う。ボーナスに内部当選している状態（ＢＢ、ＲＢがストックされている状態を含む）の場合は、図１７の
「大規模演出」用の調光制御テーブルによってフルカラーＬＥＤ２８を調光制御し、演出を行う
【００８５】
　図１６及び図１７のテーブルでは、１０個のフルカラーＬＥＤ２８のそれぞれを特定するために、筐体に向かって左端から順に＃１〜＃１０の番号を割り当てている。＃１は左端のフルカラーＬＥＤ２８、＃１０は右端のフルカラーＬＥＤ２８を示す。また、各テーブルにおいてマスに色名が記入されているときは、その時刻でその番号のフルカラーＬＥＤ２８を当該色で点灯することを意味する。空白のマスは、フルカラーＬＥＤを消灯することを意味する。
・・・略・・・
【００８７】
　一方、
「大規模演出」時には、
計１０個のフルカラーＬＥＤ２８が、左端から０．５秒ずつ遅れながら順次赤色で点灯するとともに、点灯後はその発色を、赤→橙→黄→緑→青→藍→紫→赤→橙→・・・というように、所定の順序で７色に変化させる制御を行う
・・・略・・・
【０１２７】
　また、本実施形態の遊技機１においては、前述の
「大規模演出」時において
、フルカラーＬＥＤ２８の発色は、時間の経過に伴って、赤→橙→黄→・・・と七色に変化するように、電飾制御手段（ＣＰＵ３１及び腰部パネル用ＬＥＤ駆動回路４４）によって制御される
【０１２８】
　また、本実施形態の遊技機１においては、フルカラーＬＥＤ２８は複数個（１０個）を並べて配置されるとともに、それぞれのフルカラーＬＥＤは、前述の「大規模演出」時において（図１７参照）、それに左側で隣接するフルカラーＬＥＤ２８の発色の変化に所定の時間差（０．５秒）をおいて追従するように、ＣＰＵ３１及び腰部パネル用ＬＥＤ駆動回路４４によってその発色の変化が制御される。
これにより、導光板２６上で色があたかも移動しているかの如くの演出
を実現でき
【０１２９】
　更に、本実施形態の遊技機１においては図２１に示すように、そのゲームの抽選の結果、ボーナス（ＢＢ、ＲＢ）に内部当選していない場合（一般遊技状態）では「通常規模演出」、ボーナスに内部当選している場合（一般遊技状態以外）を「大規模演出」とし、上記の何れの場合かによって異なる調光制御テーブルが選択され、フルカラーＬＥＤ２８が異なる発色及び点灯・消灯態様となるように、電飾制御手段（ＣＰＵ３１及び腰部パネル用ＬＥＤ駆動回路４４）によって制御される。具体的には、一般遊技状態では白色で点灯・消灯を繰り返すとともに（図１６）、それ以外の遊技状態では
赤、橙などの７色で点灯する
　オ　「【図１】
」
　カ　「【図１７】
」
　キ　「【図１８】
」
　ク　上記オの図示内容から、
１０個のフルカラーＬＥＤ２８は、隣り合って一列に配置される
　ケ　上記アないしクの記載内容及び図示内容からみて、引用例には、次の発明（以下、「引用発明２」という。）が記載されている。
［引用発明２］
「ａ　遊技に関連する情報を表示画面５ａに表示する液晶表示装置５（【００２３】）を備え、
ｂ　赤、緑、青の単色のＬＥＤを１つの樹脂チップに封入したフルカラーＬＥＤ２８（【００２９】）が、１０個設置され（【００２７】）、赤、橙などの７色で点灯する（【０１２９】）ことができ、
ｃ、ｃ−１、ｃ−２　「大規模演出」用の調光制御テーブルによってフルカラーＬＥＤ２８を調光制御し、演出を行い（【００８４】）、「大規模演出」時には、計１０個のフルカラーＬＥＤ２８が、左端から０．５秒ずつ遅れながら順次赤色で点灯するとともに、点灯後はその発色を、赤→橙→黄→緑→青→藍→紫→赤→橙→・・・というように、０．５秒ごとに所定の順序で７色に変化させる制御を行い（【００８７】）、「大規模演出」時において、フルカラーＬＥＤ２８の発色は、時間の経過に伴って、赤→橙→黄→・・・と七色に変化するように、電飾制御手段（ＣＰＵ３１及び腰部パネル用ＬＥＤ駆動回路４４）によって制御され（【０１２７】）、
　これにより、導光板２６上で色があたかも移動しているかの如くの演出を実現でき（【０１２８】）、
ｂ−１　１０個のフルカラーＬＥＤ２８は、隣り合って一列に配置される（上記ク、【図１】）、
ｄ　遊技機１（【００１５】）。」
（３）当審拒絶理由に周知例として引用され、本願の出願前に電気通信回線を通じて公衆に利用可能となった特開２０１０−１７０１１９号公報（以下、「引用文献３」という。）には、図面と共に次の事項が記載されている。
　ア　「【００２７】
また、カラーフィルタを用いない
フィールドシーケンシャル方式
赤色のＬＥＤ
緑色のＬＥＤ
青色のＬＥＤ
　・・・略・・・
【００３１】
また、サブフレーム周波数を高くして
動画表示
サブフレーム期間のＬＥＤを全て消灯する
黒挿入表示
動画表示の際に生じる動きぼけによる画質劣化を改善する
　イ　ここで、特開２０１２−２７４５８号公報の【０００２】に、「フィールドシーケンシャル方式によって表示を行う液晶表示装置では、異なる色を呈する複数の光源（例えば、Ｒ（赤）、Ｇ（緑）、Ｂ（青））が設けられる。そして、当該異なる色を呈する複数の光源が順次発光し、且つ画素毎にそれぞれの色を呈する光の透過を制御することで所望の色を形成している。」と記載され、特開２０１０−１９１２７８号公報の【０００４】に、「フィールドシーケンシャル方式は、バックライトを例えばＲ・Ｇ・Ｂ・Ｒ・Ｇ・Ｂ…と時間的に切り替え、それに同期させて強誘電性液晶の白黒シャッターを開閉し、網膜の残像効果により色を時間的に混合させ、これによりカラー表示を実現させるものである。」と記載され、特開２００８−６６３６６号公報の【０００３】及び【０００４】に、「フィールドシーケンシャル方式は、「時分割」による混色を利用したカラー表示方式である。即ち、２色以上の光を継続的に切り替えて発光させ、かつ、その切り替えの速さを人間の眼の時間的分解能を越えた速さとして、人間が２色以上の色を混食して認識することを応用した方式である。フィールドシーケンシャル方式のフルカラーＬＣＤにおいては、動画表示にそれぞれ、バックライトをＲＧＢの三つの発光色のうちの一つの発光色で発光可能にするとともに、各フィールド毎の継続的にＲＧＢの発光色を切り替えて（時分割して）発光させ、その切り替えの速さを充分に速くすることにより任意の色光を得るようになっている。」と記載されているように、「フィールドシーケンシャル方式」とは、ＲＧＢの三原色のＬＥＤを順次切り替えて発光ないし点灯することでカラー表示を行うものである。
　ウ　そうすると、上記アの記載事項から、「フィールドシーケンシャル方式」により赤色、緑色、及び青色の三原色の「ＬＥＤ」を動作制御して「動画表示」を行うことが読み取れるところ、上記イの記載事項を考慮すれば、カラー表示を行っていることは明らかであって、そのカラーによる「動画表示」を行うにあたり、「ＬＥＤ」において発光色の切り替えを行っていることは、当業者にとって自明である。
　エ　また、「サブフレーム期間」は、画像更新周期よりも短い期間といえるところ、その「サブフレーム期間」における「ＬＥＤを全て消灯する黒挿入表示」は、「動画表示の際に生じる動きぼけによる画質劣化を改善する」ものであるから、ぼけ、すなわち残像現象の緩和による表示内容の視認性向上に寄与するものであるし、そのような視認性向上を目的として行うものといえることも当業者にとって自明である。
　オ　そうすると、上記アないしエの記載内容からみて、引用文献３には、以下の技術事項（以下、「引用文献３記載事項」という。）が記載されていると認められる。
［引用文献３記載事項］
「ＬＥＤの発光色の表示を切り替える際に、残像現象の緩和による表示内容の視認性向上等を目的として、画像表示装置の画像更新周期よりも短い期間だけ、全てのＬＥＤを消灯するよう制御すること。」
（４）当審拒絶理由に周知例として引用され、本願の出願前に電気通信回線を通じて公衆に利用可能となった特開２０１１−１７０２１９号公報（以下、「引用文献４」という。）には、図面と共に次の事項が記載されている。
　ア　「【００２９】
　バックライト２００は、液晶表示パネル３００を背面側から照明する照明装置であり、互いに異なる発光色を有する複数の光源（本実施形態では、
赤色光源２００Ｒ
緑色光源２００Ｇ
青色光源２００Ｂ
３つの光源２００Ｒ、２００Ｇ、２００Ｂとしていずれも発光ダイオード
・・・略・・・
【００５０】
　図３に示した第１動作例では、液晶表示パネル３００が
フィールドシーケンシャル駆動
・・・略・・・
【００５８】
　図４に示した第２動作例では、第１動作例とは異なり、液晶表示パネル３００はフィールドシーケンシャル駆動されておらず、赤色光源２００Ｒ、緑色光源２００Ｇ、及び、青色光源２００Ｂは、バックライトオン信号ＯＮがハイレベルに立ち上げられると、一のフレーム期間内で設定された所定の発光期間に集中して、順次時分割で発光駆動される。言い換えれば、バックライト２００は、
一のフレーム期間内に少なくとも一回の消灯期間を有するように疑似インパルス駆動
人間の網膜残像効果を解消して、動画の表示性能を向上することが可能となる
　・・・略・・・
【００７０】
　また、光源の発光が常時発光ではないため、液晶表示パネル３００を
フィールドシーケンシャル駆動
液晶ディスプレイの動画特性向上させるため
疑似インパルス駆動
　イ　「【図３】
」
　ウ　上記アの記載事項から、「フィールドシーケンシャル駆動」により赤色、緑色、及び青色の三原色の「発光ダイオード」を動作制御して「動画表示」を行うことが読み取れるところ、上記「（３）イ」の記載事項を考慮すれば、カラー表示を行っていることは明らかであって、そのカラーによる「動画表示」を行うにあたり、「発光ダイオード」において発光色の切り替えを行っていることは、当業者にとって自明である。
　エ　また、上記イの図示内容からは、Ｒ期間、Ｇ期間、及びＢ期間のそれぞれに消灯期間を設けることが看取できるところ、それら期間が、一のフレーム期間中に、赤色光源２００Ｒ、緑色光源２００Ｇ、及び青色光源２００Ｂを全て消灯させる消灯期間であることは明らかである。
　そして、この消灯期間は、上記アの【００５８】に記載された「疑似インパルス駆動」での「消灯期間」と同様に、「人間の網膜残像効果を解消して、動画の表示性能を向上することが可能となる」ものであることは明らかであるから、残像現象の緩和による表示内容の視認性向上を目的としたものといえることは当業者にとって自明である。
　オ　そうすると、上記アないしエの記載事項及び図示内容からみて、引用文献４には、以下の技術事項（以下、「引用文献４記載事項」という。）が記載されていると認められる。
［引用文献４記載事項］
「ＬＥＤの発光色等の表示を切り替える際に、残像現象の緩和による表示内容の視認性向上等を目的として、画像表示装置の画像更新周期よりも短い期間だけ、全てのＬＥＤを消灯するよう制御すること。」
（５）当審拒絶理由に周知例として引用され、本願の出願前に電気通信回線を通じて公衆に利用可能となった特開２００７−１２７９１２号公報（以下、「引用文献５」という。）には、図面と共に次の事項が記載されている。
　ア　「【０００３】
　液晶表示装置の
動画視認性を向上するために
画像がぼやける現象（いわゆる残像現象）をいかに緩和するかが重要である
　・・・略・・・
【００３０】
　ＬＥＤ光源４は、液晶パネル３を背面から照射するバックライト手段である。なお、本実施形態のＬＥＤ光源４は、
赤色光を照射するＬＥＤ４Ｒ
緑色光を照射するＬＥＤ４Ｇ
青色光を照射するＬＥＤ４Ｂ
ＦＳ［Field Sequential］方式
　・・・略・・・
【００３３】
　可変電流源５２Ｒ、５２Ｇ、５２Ｂは、後述する基準電圧（電流量設定電圧）Ｖａと黒挿入信号ＢＫに基づいて、ＬＥＤ４Ｒ、４Ｇ、４Ｂの各駆動電流を生成する手段であり、特に、黒挿入信号ＢＫに基づいて、所定の
黒挿入期間ｄだけ、ＬＥＤ４Ｒ、４Ｇ、４Ｂに対する駆動電流の供給を停止する構成（すなわち、ＬＥＤ光源４の全消灯によって全画面黒表示を行う構成）
　・・・略・・・
【００４６】
　一方、遅延回路５４１では、上記の垂直同期信号ＶＳに対して、
黒挿入期間ｄ（例えば５［ｍｓ］）
　・・・略・・・
【００８４】
　本発明は、テレビジョン受像機や携帯ゲーム機器など、主に
動画像の表示
　イ　「【図２】（ｂ）
」
　ウ　上記アの記載事項から、「ＦＳ［Field Sequential］方式」により赤色、緑色及び青色の三原色の「ＬＥＤ」を動作制御して「動画像の表示」を行うことが読み取れるところ、上記「（３）イ」の記載事項を考慮すれば、カラー表示を行っていることは明らかであって、そのカラーによる「動画像の表示」を行うにあたり、「ＬＥＤ」において発光色の切り替えを行っていることは、当業者にとって自明である。
　エ　また、上記アの【００４６】には、「黒挿入期間ｄ（例えば５［ｍｓ］）」と記載されているところ、上記イの図示内容から、当該「黒挿入期間ｄ」が１フレームよりも短い期間であることが看取できる。ここで、上記アの【００３３】における「黒挿入期間ｄだけ、ＬＥＤ４Ｒ、４Ｇ、４Ｂに対する駆動電流の供給を停止する構成（すなわち、ＬＥＤ光源４の全消灯によって全画面黒表示を行う構成）」という記載から、「黒挿入期間ｄ」とは、「ＬＥＤ光源４の全消灯によって全画面黒表示を行う」期間であることは明らかである。
　そして、上記アの【０００３】には、「動画視認性を向上するために」「画像がぼやける現象（いわゆる残像現象）をいかに緩和するかが重要である」ことが記載されているところ、【００３３】に記載のような、「黒挿入期間ｄだけ」「ＬＥＤ光源４の全消灯によって全画面黒表示を行う」ことは、残像現象の緩和による表示内容の視認性向上を目的としたものといえることは明らかである。
　オ　そうすると、上記アないしエの記載事項及び図示内容からみて、引用文献５には、以下の技術事項（以下、「引用文献５記載事項」という。）が記載されていると認められる。
［引用文献５記載事項］
「ＬＥＤの発光色等の表示を切り替える際に、残像現象の緩和による表示内容の視認性向上等を目的として、画像表示装置の画像更新周期よりも短い期間だけ、全てのＬＥＤを消灯するよう制御すること。」
（６）上記（３）ないし（５）で説示した引用文献３ないし５記載事項から、ＬＥＤの発光色等の表示を切り替える際に、残像現象の緩和による表示内容の視認性向上等を目的として、画像表示装置の画像更新周期よりも短い期間だけ、全てのＬＥＤを消灯するよう制御することは、本願の出願前に周知（以下、「周知技術」という。）であるといえる。
５　対比・判断
（１）本願発明と引用発明１との対比・判断
　ア　本願発明と引用発明１を対比する。なお、以下の（ａ）等の見出しは、本願発明のＡ等の記号に対応させている。
（ａ）引用発明１の「特図の変動表示装置４」は、所定の画像を表示可能なものであるから、本願発明の「画像表示装置」に相当する。
　したがって、引用発明１の構成ａは、本願発明の構成Ａに相当する。
（ｂ）引用発明１の「５つ」の「外部アピール装飾ランプ１１」は、それぞれ、赤、青、緑の三色ＬＥＤを含むものであり、多数色の発光が可能なものであるから、本願発明の「複数の多色発光手段」に相当する。
　したがって、引用発明１の構成ｂは、本願発明の構成Ｂに相当する。
（ｃ）（ｃ−１）（ｃ−２）引用発明１において、外部アピール装飾ランプ１１は、変動表示ゲームにおいて、レインボー色に点灯するとともに発光色が移動する表示を行うものであるところ、当該「レインボー色に点灯するとともに発光色が移動する表示」が、本願発明における「前記多色発光手段の発光色を予め定められた順序で変化するように切り替える発光色変化演出」に相当する。
　そして、引用発明１において、「枠制御装置８３」は、外部アピール装飾ランプ１１の制御を行うものであるから、外部アピール装飾ランプ１１による、レインボー色に点灯するとともに発光色が移動する表示（「発光色変化演出」）を実行するものであることは明らかである。そうすると、引用発明１の「枠制御装置８３」は、本願発明の構成Ｃ（「発行色変化演出実行手段」）に相当する構成を備えるといえる。
　さらに、引用発明１における、レインボー色に点灯するとともに発光色が移動する表示（「発光色変化演出」）は、全てのランプ１１，…がレインボー色に点灯するとともに、発光色の変動のタイミングをランプ１１，…の並び順にずらすことにより、発光色がランプ１１，…間に渡って移動するように表示するものであって、ここで、レインボー色とは、三色ＬＥＤの各色のＬＥＤ素子の輝度を個別に調整することで、７色の発光を可能とするとともに、７色の発光色を所定の短時間毎に順次変更して一色ずつ発光させていくこと７色に変化する発光を行うようにしたものであるから、本願発明の構成Ｃ−２（「前記第１の多色発光手段を第１の発光色で発光させている際に前記第２の多色発光手段を前記第１の発光色の次に定められた発光色である第２の発光色で発光させ、前記第１の多色発光手段を前記第２の発光色に切り替えた際には、前記第２の多色発光手段を、前記第２の発光色の次に定められた発光色となるように切り替える」）に相当する構成を含むものである。
　したがって、引用発明１の構成ｃ、ｃ−１、ｃ−２は、本願発明の構成Ｃ及びＣ−２を具備する。
　また、引用発明１の構成ｃ、ｃ−１、ｃ−２と本願発明のＣ−１とは、「Ｃ−１’前記発光色変化演出実行手段は、前記発光色変化演出において全ての前記多色発光手段の発光色を一の発光色から前記一の発光色とは異なる発光色に切り替えるときに、前記一の発光色とは異なる発光色に対応した発光素子を発光させ」る点で共通する。
（ｂ−２）引用発明１は、５つの外部アピール装飾ランプ１１が、略円弧状となるように隣り合って配置されるものであるから、本願発明における「複数の前記多色発光手段は、連なって配置されるとともに、第１の多色発光手段と、該第１の多色発光手段に隣接する第２の多色発光手段と、を含み」に相当する構成を備えるものといえる。
　したがって、引用発明１の構成ｂ−１は、本願発明の構成Ｂ−１に相当する。
　イ　上記アからみて、本願発明と引用発明１とは、
「Ａ　所定の画像を表示可能な画像表示装置と、
　Ｂ　赤色発光素子、緑色発光素子、青色発光素子を含む複数の多色発光手段と、
　Ｃ　前記多色発光手段の発光色を予め定められた順序で変化するように切り替える発光色変化演出を実行する発光色変化演出実行手段と、を備え、
　Ｃ−１’前記発光色変化演出実行手段は、前記発光色変化演出において全ての前記多色発光手段の発光色を一の発光色から前記一の発光色とは異なる発光色に切り替えるときに、前記一の発光色とは異なる発光色に対応した発光素子を発光させ、
　Ｂ−１　複数の前記多色発光手段は、連なって配置されるとともに、第１の多色発光手段と、該第１の多色発光手段に隣接する第２の多色発光手段と、を含み、
　Ｃ−２　前記第１の多色発光手段を第１の発光色で発光させている際に前記第２の多色発光手段を前記第１の発光色の次に定められた発光色である第２の発光色で発光させ、前記第１の多色発光手段を前記第２の発光色に切り替えた際には、前記第２の多色発光手段を、前記第２の発光色の次に定められた発光色となるように切り替える、
　Ａ　遊技機。」である点で一致し、以下の点で相違する。 
［相違点］（構成Ｃ−１）
　「発光色変化演出実行手段」による「前記発光色変化演出において全ての前記多色発光手段の発光色を一の発光色から前記一の発光色とは異なる発光色に切り替えるとき」、
　本願発明は、「前記画像表示装置の画像更新周期よりも短い期間、前記多色発光手段に含まれる全ての発光素子を消灯させ」るのに対し、
　引用発明１は、レインボー色に点灯するとともに発光色が移動する表示（「発光色変化演出」）において、全ての外部アピール装飾ランプ１１（「多色発光手段」）の発光色を切り替えるものの、その切替え時に、液晶ディスプレイ４１（「画像表示装置」）の画像更新周期よりも短い期間、外部アピール装飾ランプ１１（「多色発光手段」）に含まれる全ての発光素子を消灯させることについて特定がない点。
　ウ　相違点の検討
（ア）上記相違点について検討する。
　遊技機の分野に限らず、表示装置の技術分野において、表示内容の視認性を向上させることは自明の課題であるところ、引用発明１においても、特図の変動表示装置４や外部アピール装飾ランプ１１の表示内容の視認性を向上させたいという課題が内在することは明らかである。
　そして、上記「４（６）」で説示したように、ＬＥＤの発光色等の表示を切り替える際に、残像現象の緩和による表示内容の視認性向上等を目的として、画像表示装置の画像更新周期よりも短い期間だけ、全てのＬＥＤを消灯するよう制御することが周知技術であるところ、当該周知技術により前記自明の課題を解決できることは明らかである。
　そうすると、引用発明１において、当該自明の課題を解決するために、上記周知技術（上記「４（６）」）を採用して、レインボー色に点灯するとともに発光色が移動する表示（「発光色変化演出」）にて、複数の外部アピール装飾ランプ１１（「多色発光手段」）の発光色を切り替えるときに、液晶ディスプレイ４１（「画像表示装置」）の画像更新周期よりも短い期間、全ての外部アピール装飾ランプ１１（「多色発光手段」）に含まれる各々の発光素子を消灯させるよう制御することは、当業者が適宜なし得たことである。そして、その結果、本願発明の構成Ｃ−１に相当する構成を備えることになることは明らかである。
（イ）したがって、引用発明１において、上記周知技術を適用して、上記相違点に係る本願発明の構成とすることは、当業者が適宜なし得たものである。
（ウ）効果について
　本願発明の奏する作用効果は、引用発明１及び周知技術の奏する作用効果から予測される範囲内のものにすぎず、格別顕著なものということはできない。
（エ）上記（ア）ないし（ウ）より、本願発明は、引用発明１と周知技術とに基づいて、当業者が容易に発明することができたものである。
（２）本願発明と引用発明２との対比・判断
　ア　本願発明と引用発明２を対比する。なお、以下の（ａ）等の見出しは、本願発明のＡ等の記号に対応させている。
（ａ）引用発明２の「液晶表示装置５」は、所定の画像を表示可能なものであるから、本願発明の「画像表示装置」に相当する。
　したがって、引用発明２の構成ａは、本願発明の構成Ａに相当する。
（ｂ）引用発明２の「１０個のフルカラーＬＥＤ２８」は、それぞれ、赤、青、緑の三色ＬＥＤを含み、赤、橙などの７色で点灯するものであるから、本願発明の「複数の多色発光手段」に相当する。
　したがって、引用発明２の構成ｂは、本願発明の構成Ｂに相当する。
（ｃ）（ｃ−１）（ｃ−２）引用発明２において、１０個のフルカラーＬＥＤ２８は、大規模演出において、所定の順序で７色に変化されるものであるところ、当該「大規模演出」が、本願発明における「前記多色発光手段の発光色を予め定められた順序で変化するように切り替える発光色変化演出」に相当する。
　そして、引用発明２において、「電飾制御手段」は、大規模演出時に、フルカラーＬＥＤ２８の発色が七色に変化するように制御するものであるから、大規模演出を実行するものであることは明らかである。そうすると、引用発明２の「電飾制御手段」は、本願発明の構成Ｃ（「発行色変化演出実行手段」）に相当する構成を備えるものである。
　さらに、引用発明２の大規模演出（「発光色変化演出」）は、計１０個のフルカラーＬＥＤ２８が、左端から０．５秒ずつ遅れながら順次赤色で点灯するとともに、点灯後はその発色を、赤→橙→黄→緑→青→藍→紫→赤→橙→・・・というように、０．５秒ごとに所定の順序で７色に変化させる制御を行うものであるから、本願発明の構成Ｃ−２（「前記第１の多色発光手段を第１の発光色で発光させている際に前記第２の多色発光手段を前記第１の発光色の次に定められた発光色である第２の発光色で発光させ、前記第１の多色発光手段を前記第２の発光色に切り替えた際には、前記第２の多色発光手段を、前記第２の発光色の次に定められた発光色となるように切り替える」）に相当する構成を含むものである。
　したがって、引用発明２の構成ｃ、ｃ−１、ｃ−２は、本願発明の構成Ｃ及びＣ−２を具備する。
　また、引用発明２の構成ｃ、ｃ−１、ｃ−２と本願発明のＣ−１とは、「Ｃ−１’前記発光色変化演出実行手段は、前記発光色変化演出において全ての前記多色発光手段の発光色を一の発光色から前記一の発光色とは異なる発光色に切り替えるときに、前記一の発光色とは異なる発光色に対応した発光素子を発光させ」る点で共通する。
（ｂ−２）引用発明２は、１０個のフルカラーＬＥＤ２８が、隣り合って一列に配置されるものであるから、本願発明における「複数の前記多色発光手段は、連なって配置されるとともに、第１の多色発光手段と、該第１の多色発光手段に隣接する第２の多色発光手段と、を含み」に相当する構成を備えるものといえる。
　したがって、引用発明２の構成ｂ−１は、本願発明の構成Ｂ−１に相当する。
　イ　上記アからみて、本願発明と引用発明２とは、
「Ａ　所定の画像を表示可能な画像表示装置と、
　Ｂ　赤色発光素子、緑色発光素子、青色発光素子を含む複数の多色発光手段と、
　Ｃ　前記多色発光手段の発光色を予め定められた順序で変化するように切り替える発光色変化演出を実行する発光色変化演出実行手段と、を備え、
　Ｃ−１’前記発光色変化演出実行手段は、前記発光色変化演出において全ての前記多色発光手段の発光色を一の発光色から前記一の発光色とは異なる発光色に切り替えるときに、前記一の発光色とは異なる発光色に対応した発光素子を発光させ、
　Ｂ−１　複数の前記多色発光手段は、連なって配置されるとともに、第１の多色発光手段と、該第１の多色発光手段に隣接する第２の多色発光手段と、を含み、
　Ｃ−２　前記第１の多色発光手段を第１の発光色で発光させている際に前記第２の多色発光手段を前記第１の発光色の次に定められた発光色である第２の発光色で発光させ、前記第１の多色発光手段を前記第２の発光色に切り替えた際には、前記第２の多色発光手段を、前記第２の発光色の次に定められた発光色となるように切り替える、
　Ａ　遊技機。」である点で一致し、以下の点で相違する。
［相違点］（構成Ｃ−１）
　「発光色変化演出実行手段」による「前記発光色変化演出において全ての前記多色発光手段の発光色を一の発光色から前記一の発光色とは異なる発光色に切り替えるとき」、
　本願発明は、「前記画像表示装置の画像更新周期よりも短い期間、前記多色発光手段に含まれる全ての発光素子を消灯させ」るのに対し、
　引用発明２は、大規模演出（「発光色変化演出」）において、全てのフルカラーＬＥＤ２８（「多色発光手段」）の発光色を切り替えるものの、その切替え時に、液晶表示装置５（「画像表示装置」）の画像更新周期よりも短い期間、フルカラーＬＥＤ２８（「多色発光手段」）に含まれる全ての発光素子を消灯させることについて特定がない点。
　ウ　相違点の検討
（ア）上記相違点について検討する。
　遊技機の分野に限らず、表示装置の技術分野において、表示内容の視認性を向上させることは自明の課題であるところ、引用発明２においても、液晶表示装置５やフルカラーＬＥＤ２８の表示内容の視認性を向上させたいという課題が内在することは明らかである。
　そして、上記「４（６）」で説示したように、ＬＥＤの発光色等の表示を切り替える際に、残像現象の緩和による表示内容の視認性向上等を目的として、画像表示装置の画像更新周期よりも短い期間だけ、全てのＬＥＤを消灯するよう制御することは、周知技術であるところ、当該周知技術により前記自明の課題を解決できることは明らかである。
　そうすると、引用発明２において、当該自明の課題を解決するために、上記周知技術を採用して、大規模演出（「発光色変化演出」）にて、複数のフルカラーＬＥＤ２８（「多色発光手段」）の発光色を切り替えるときに、液晶表示装置５（「画像表示装置」）の画像更新周期よりも短い期間、全てのフルカラーＬＥＤ２８（「多色発光手段」）を消灯させるよう制御することは、当業者が適宜なし得たことである。そして、その結果、本願発明の構成Ｃ−１に相当する構成を備えることになることは明らかである。
（イ）したがって、引用発明２において、上記周知技術を適用して、上記相違点に係る本願発明の構成とすることは、当業者が適宜なし得たものである。
（ウ）効果について
　本願発明の奏する作用効果は、引用発明２及び周知技術の奏する作用効果から予測される範囲内のものにすぎず、格別顕著なものということはできない。
（エ）上記（ア）ないし（ウ）より、本願発明は、引用発明２と周知技術とに基づいて、当業者が容易に発明することができたものである。
６　請求人の主張について  
（１）審判請求人は、令和１年９月１０日付け意見書において、概略以下のとおり主張している。
「２．拒絶理由について
　・・・略・・・
（２）本願発明と引用発明との対比
　本願発明は、発光色変化演出実行手段が、発光色変化演出において多色発光手段の発光色を一の発光色から一の発光色とは異なる発光色に切り替えるときに、画像表示装置の画像更新周期よりも短い期間、多色発光手段に含まれる全ての発光素子を消灯させた後、一の発光色とは異なる発光色に対応した発光素子を発光させます。
　審判長殿は、令和１年７月１２日起案の拒絶理由通知書において、本願発明の当該構成を引用文献１および２に記載の発明との相違点とした上で（令和１年７月１２日起案の拒絶理由通知書における構成Ｃ−１）、当該相違点（構成Ｃ−１）は引用文献３−６に記載のように、本願出願前に周知であるとし、「本願発明は、引用文献１と上記周知技術とに基づいて、または、引用文献２と上記周知技術とに基づいて、当業者が容易に想到し得るものである。」と認定されています。
　しかしながら、いずれの引用文献にも、ＬＥＤの発光による残像現象を緩和することが開示されていないものと思料致します。
　具体的に、引用文献３には、動画表示の際に生じる動きぼけによる画質劣化を改善することが開示されているに過ぎず、ＬＥＤの発光色の切り替えを綺麗に見せることの開示はありません。また、引用文献４についても、人間の網膜残像効果を解消して、動画の表示性能を向上することが開示されているに過ぎず、ＬＥＤの発光色の切り替えを綺麗に見せることの開示はありません。引用文献６についても同様に、液晶表示装置特有のホールド型表示に起因して画像がぼやける現象（いわゆる残像現象）を緩和して液晶表示装置の動画視認性を向上させることが開示されているに過ぎず、ＬＥＤの発光色の切り替えを綺麗に見せることの開示はありません。すなわち、引用文献３、４および６に記載の技術は、画面上における動画表示の表示性能の向上を目的としており、ＬＥＤの発光色を順次切り替える際における切り替えの明確性を向上させるということを目的とするものではありません。
　また、引用文献５には、残留電圧を除去可能な期間として１．２ｍｓの全消灯の期間を設け、次の桁を表示させることが開示されているに過ぎず、引用文献５に記載の技術は、残留電圧による残像を防止することを目的とするもので、ＬＥＤの発光色を順次切り替える際における切り替えの明確性を向上させるということを目的とするものではありません。
　このように、引用文献３−６のいずれにも、ＬＥＤの発光色を順次切り替える際における切り替えの明確性を向上させるという思想についての開示がなく、令和１年７月１２日起案の拒絶理由通知書における「残像現象を緩和して発光演出時の表示内容の視認性を向上させるという課題を有することは自明である」との認定には誤りがあるものと思料致します。すなわち、審判長殿が周知技術として認定された引用文献３−６に記載の技術は、いずれもＬＥＤの発光色を順次切り替える際における切り替えの明確性を向上させることを目的とする技術ではないことから、引用文献１、２に記載の発明においてＬＥＤの発光色を順次切り替える際に、切り替えの明確性を向上させるために引用文献３−６に記載の技術を用いることは、設計変更の範囲内ではなく、引用文献１、２に記載の発明に引用文献３−６に記載の技術を適用して本願発明の構成とすることは、当業者が適宜なし得たものではないものと思料致します。」
（２）しかしながら、上記「４（３）イ」、「４（４）ウ」及び「４（５）ウ」で説示したように、周知例として示した文献には、ＬＥＤからなる各画素において発光色の切り替えを行うことが記載されており、上記「４（６）」で説示したように、これらの文献により示されることは、ＬＥＤの発光色等の表示を切り替える際に、残像現象の緩和による表示内容の視認性向上等を目的として、画像表示装置の画像更新周期よりも短い期間だけ、全てのＬＥＤを消灯するよう制御することが、周知技術であるということである。そして、上記「５（１）ウ」及び「５（２）ウ」で説示したように、引用発明１、２においても、表示内容の視認性向上は自明の課題であるから、当該課題を解決するために、上記周知技術を採用することは、当業者が適宜なし得たことである。
（３）したがって、上記（２）で説示したように、令和１年９月１０日付け意見書における審判請求人の主張は、いずれも理由がない。
７　むすび
　本願発明は、引用発明１と周知技術とに基づいて、または、引用発明２と周知技術とに基づいて、当業者が容易に発明をすることができたものであるから、特許法第２９条第２項の規定により特許を受けることができない。
　よって、結論のとおり審決する。